(57)【要約】      （修正有）【課題】個人の好みに応じたデザインを施すことができる、選択性の高い鈴棒を提供する。【解決手段】略棒状の鈴棒本体１と、打撃部２と、平板状の把持部３と、を備え、前記打撃部２を前記鈴棒本体１の基端に設け、前記把持部３を前記鈴棒本体１の先端に設けた。【選択図】図１
2014147648.tif 000002
【特許請求の範囲】
【請求項１】
略棒状の鈴棒本体（１）と、打撃部（２）と、平板状の把持部（３）と、を備え、前記打撃部（２）を前記鈴棒本体（１）の基端に設け、前記把持部（３）を前記鈴棒本体（１）の先端に設けたことを特徴とする鈴棒。
【請求項２】
前記把持部（３）は、貫通孔（５）を有することを特徴とする請求項１記載の鈴棒。
【請求項３】
前記打撃部（２）を下方にして安定直立することを特徴とする、請求項１又は請求項２記載の鈴棒。
【請求項４】
前記打撃部（２）は、底部の形状が凸形曲面状であると共に、前記打撃部（２）の中心下部に重り（４）を備えることを特徴とする、請求項３記載の鈴棒。
【発明の詳細な説明】
【技術分野】
【０００１】
本発明は、鈴を打ち鳴らす鈴棒に関する。
【背景技術】
【０００２】
鈴棒は、鈴の縁を打ち鳴らすための道具であり、鈴を打ち鳴らした音は、雑念をはらい、心を鎮め、み仏への挨拶を行うものであるとされ、打ち鳴らした人の心の状態がそのままあらわれるものであると考える人も存在する。そして一般的には、鈴が大きめの場合は内側を打ち、鈴が小さめの場合は外側を打つものである。
【０００３】
その鈴棒の形状は、通常棒状であって、一端が手で掴む把持部で、他端が打撃部からなり、近年では後記特許文献のような鈴棒が提案されている。
【０００４】
特許文献１では、棒状の把持部と、その把持部の基端に備える膨大状の打撃部と、からなり、該打撃部を下方にして安定直立することを特徴とする鈴棒が公開されている。
【０００５】
特許文献２では、把持部と打撃部を着脱自在にできる構成のスタンド型鈴棒が公開されている。
【先行技術文献】
【特許文献】
【０００６】
【特許文献１】特開２００６−１６７４４２号公報
【特許文献２】特開２０１２−１１０６５６号公報
【発明の概要】
【発明が解決しようとする課題】
【０００７】
前記特許文献１や前記特許文献２に記載された発明は、省スペース化を実現し、使用時に掴みやすく、且つ対象を打撃しやすい利便性の高いものである。しかしながら、個人の好みに応じた多彩なデザインを施す選択性に乏しく、またその選択も打撃部に由来するものがほとんどであった。
【０００８】
本発明は上記実情を基に開発されたもので、個人の好みに応じた多彩なデザインを施すことのできる、選択性の高い鈴棒の提供を目的としている。
【課題を解決するための手段】
【０００９】
前記の課題を解決するための本発明のうち請求項１記載の発明は、略棒状の鈴棒本体と、打撃部と、平板状の把持部と、を備え、前記打撃部を前記鈴棒本体の基端に設け、前記把持部を前記鈴棒本体の先端に設けたことを特徴とする鈴棒である。
【００１０】
本発明のうち請求項２記載の発明は、前記把持部は、貫通孔を有することを特徴としている。
【００１１】
本発明のうち請求項３記載の発明は、前記打撃部を下方にして安定直立することを特徴としている。
【００１２】
本発明のうち請求項４記載の発明は、前記打撃部は、底部の形状が凸形曲面状であると共に、前記打撃部の中心下部に重りを備えることを特徴としている。
【発明の効果】
【００１３】
本発明のうち請求項１記載の発明によれば、平板状の把持部に多彩なデザインを施すことが可能になるため、個人の好みを反映させやすい、選択性の高いものとなる。また、鈴棒を水平に寝かせて設置する場合には、平板状の前記把持部により、転動を防止することも可能である。そして、使用時には平板状の把持部を持つことにより、打撃部のある特定の面で鈴を打撃することが可能なため、打撃部の鈴と接触する箇所以外には細かな細工を施すことも可能なものとなる。
【００１４】
本発明のうち請求項２記載の発明によれば、前記把持部に貫通孔を有することで、手で掴みやすく、また、フックに引っ掛けて設置することも可能なものとなる。
【００１５】
本発明のうち請求項３記載の発明によれば、前記打撃部を下にして安定直立することで、多彩なデザインを施した前記把持部を目立たせることができると共に、設置時の占有面積の小ささや、使用時の掴みやすさ等も兼ね備えたものとなる。
【００１６】
本発明のうち請求項４記載の発明によれば、前記打撃部は、底部の形状が凸形曲面状であると共に、前記打撃部の中心下部に重りを備えることで、起き上がりこぼしのような転倒防止機能を有するものとなり、鈴棒を置いた際の安定性が高くなる。また、この構成は、常に垂直方向に立つような復元力を鈴棒に持たせつつ、水平方向へ揺動する動きを実現するため、前記把持部のデザインとの相乗効果を期待できる。
【図面の簡単な説明】
【００１７】
【図１】（ａ）、（ｂ）図は、本発明による鈴棒の第一実施形態を示す正面図と側面図である。
【図２】図１（ａ）の中心軸断面図である。
【図３】本発明による鈴棒の第二実施形態を示す正面図である。
【図４】本発明による鈴棒の第三実施形態を示す正面図である。
【図５】本発明による鈴棒の第四実施形態を示す中心軸断面図である。
【発明を実施するための形態】
【００１８】
以下に、図面に基づいて本発明による鈴棒について説明する。本発明による鈴棒の第一実施形態は、図１（ａ）、（ｂ）を参照すれば、鈴棒本体１と、打撃部２と、把持部３と、を備えている。そして、前記鈴棒本体１の基端に前記打撃部２を備え、前記鈴棒本体１の先端に前記把持部３を備えている。これら、鈴棒本体１、打撃部２、把持部３の素材としては、黒壇や紫檀、或いは樫等の硬質の木材、樹脂、軽金属等が好適であるが、それらに限定されるものではない。また、鈴棒本体１と、打撃部２と、把持部３は、図では一体化した構造をなしているが、それぞれが着脱自在の機構になっていてもよい。
【００１９】
前記鈴棒本体１は、図１（ａ）、（ｂ）を参照すれば、全体的には略棒状の形状をなし、その断面は略円形である。なお、図では前記鈴棒本体１の断面の径が一定となっているが、部位によって径を異なる構成にしても問題ない。
【００２０】
前記把持部３は、図１（ａ）、（ｂ）を参照すれば、平板状の形状をなすものである。この構成によれば、図１（ａ）、（ｂ）、図２を見てもわかるように、前記把持部３に、個人の好みに合わせた絵、例えば花の絵を描くことができる。そしてそれと同時に、手で掴みやすく、また、フックに引っ掛けて設置することができるように、貫通孔５を有する、多彩なデザインを容易に施すことも可能になる。また、鈴棒を水平に寝かせて設置する場合には、平板状の把持部３により、転動を防止することも可能である。なお、前記把持部３の外形状は、図１では扇形状であるが、これに限定されるものではなく、図３に示す第二実施形態のように猫などの動物の外形状のものや、図４に示す第三実施形態のようにハート型の外形状のもの等、個人の好みに合わせた自由度の高いものである。また、使用時には前記平板状の把持部３を持つため、鈴棒の掴み方や、打ち鳴らし方がある程度決まったものとなり、打撃部２のある特定の面でのみ鈴を打撃することになる。そのため、例えば打撃部２の鈴と接触する箇所以外には細かな細工を施すことなど、その他の部位への効果も期待できる。なお、把持部３は、完全に平らな形状に特定されるものではなく、多少の凹凸、例えば、描かれた絵の部分に若干の凹凸を付与することや、ハート型の外形状の場合は、膨らみを持たせることなどの自由度を持つ。
【００２１】
前記打撃部２は、図１（ａ）、（ｂ）、図２に示すように、底部の形状が凸形球面状であると共に、その中心下部に重り４を備えることにより、前記打撃部２を下にして安定直立すると共に、起き上がりこぼしのような転倒防止機能を有することが可能である。この構成は、常に垂直方向に立つような復元力を鈴棒に持たせつつ、水平方向へ揺動する動きを実現するため、デザインに動きを加えるなどの相乗効果を期待できる。なお、重り４の素材としては、真鍮等の金属が好適であるが、限定されるものではなく、鈴棒全体に比べて比重が大きければ良い。また、図中の前記打撃部２の外形は膨大の球状をなしているが、この形状に限定されるものではなく、例えば円柱形状にすることで鈴棒の揺動方向を限定し、より一層のデザインを生かした動きを実現することも可能である。そして、鈴棒の揺動する時間等は、鈴棒の重心の位置や、前記打撃部２の形状により変化させることが可能である。そのため、前記打撃部２の底部中央に水平面を有する構成にすることで、底部全体の形状が凸形球面状の場合に比べて、より短時間で揺動を収束させることができる。
【００２２】
また、前記打撃部２を下にして安定直立する機能のみを鈴棒に付与すればいい場合であれば、打撃部２全体をその他の部位に比べて重くすると共に、図５で示す第四実施形態のように、前記打撃部２の底面全体を水平にする等の構成でも問題はない。前記打撃部２を下にして安定直立する鈴棒は、設置の際の占有面積を小さくすることが可能であり、また必然的に把持部３が上向きになるので、使用時に掴みやすい効果があると共に、前記平板状の把持部３のデザインを目立たせることが可能である。
【００２３】
なお、本実施形態例では、鈴棒についての具体的な構成を説明したが、この構成は楽器を打ち鳴らす打棒などにもそのまま適用できる。
【符号の説明】
【００２４】
１  鈴棒本体
２  打撃部
３  把持部
４  重り
５  貫通孔
【図１】
2014147648.tif 000003
【図２】
2014147648.tif 000004
【図３】
2014147648.tif 000005
【図４】
2014147648.tif 000006
【図５】
2014147648.tif 000007